(57)【特許請求の範囲】
【請求項１】
作業機械を支持するための伸縮式スライドビーム（１）であって、
スライドビームボックス（２）と、
上記スライドビームボックス（２）内において外方へ伸縮可能に支持された内側スライドビーム（３）とを備えており、
上記スライドビームボックス（２）および上記内側スライドビーム（３）の各々は、周縁領域に設けられた開口（２３，３３）を有し、
上記開口（２３，３３）は、上記伸縮式スライドビーム（１）の外方伸縮状態において互いにオーバーラップし、
互いにオーバーラップした上記開口（２３，３３）内に導入され得るボルト（４）を備え、
上記スライドビームボックス（２）は、内側面に当接部（２４）を有し、
上記内側スライドビーム（３）は、外側面に当接部（３４）を有し、
上記スライドビームボックス（２）の上記当接部（２４）と上記内側スライドビーム（３）の上記当接部（３４）とは、外方伸縮状態において、上記スライドビームボックス（２）から上記内側スライドビーム（３）がさらに引き出されるのを阻止するように互いに接触するように構成されている
ことを特徴とする伸縮式スライドビーム。
【請求項２】
請求項１において、
上記スライドビームボックス（２）の上記開口（２３）と上記内側スライドビーム（３）の上記開口（３３）とは、上記スライドビームボックス（２）の上記当接部（２４）と上記内側スライドビーム（３）の上記当接部（３４）とが互いに接触するときに、互いにオーバーラップするように構成されている
ことを特徴とする装置。
【請求項３】
請求項１または２において、
上記スライドビームボックス（２）の上記開口（２３）および上記内側スライドビーム（３）の上記開口（３３）は、それぞれの頂弦部（２１，３１）に設けられ、
上記スライドビームボックス（２）の上記当接部（２４）および上記内側スライドビーム（３）の上記当接部（３４）は、それぞれの底弦部（２２，３２）に設けられている
ことを特徴とする装置。
【請求項４】
請求項１〜３のいずれか１項において、
上記スライドビームボックス（２）の上記当接部（２４）は、該スライドビームボックス（２）に一体形成されているか、
および／または、
上記内側スライドビーム（３）の上記当接部（３４）は、該内側スライドビーム（３）に一体形成されている
ことを特徴とする装置。
【請求項５】
請求項１〜４のいずれか１項において、
上記スライドビームボックス（２）の上記開口（２３）と上記内側スライドビーム（３）の上記開口（３３）とは、同一形状であって、円形状または矩形状を有することを特徴とする装置。
【請求項６】
請求項１〜５のいずれか１項において、
上記スライドビームボックス（２）の上記開口（２３）と上記内側スライドビーム（３）の上記開口（３３）とは、上記スライドビーム（１）の外方伸縮状態において、互いに直接的に重なって配置され、互いに面一に並ぶように構成されている
ことを特徴とする装置。
【請求項７】
請求項１〜６のいずれか１項において、
上記スライドビームボックス（２）は、その上記開口（２３）の縁領域に、上記スライドビーム（１）の伸縮方向と垂直に延びて上記開口（２３）と並んだ外側または内側に突出する隆起部（５）を有する
ことを特徴とする装置。
【請求項８】
請求項７において、
上記垂直隆起部（５）は、上記スライドビームボックス（２）に一体形成されていて、該スライドビームボックス（２）の上記開口（２３）の縁領域全体を囲んでいる
ことを特徴とする装置。
【請求項９】
請求項１〜８のいずれか１項において、
上記スライドビームの外方伸縮状態において、上記スライドビームボックス（２）の頂弦部（２１）における内側面と上記内側スライドビーム（３）の頂弦部（３１）における外側面との間にギャップが存在し、
上記ギャップは、上記内側スライドビーム（３）の外側面の上記当接部（３４）の高さ以上の大きさを有する
ことを特徴とする装置。
【請求項１０】
請求項１〜９のいずれか１項において、
上記スライドビーム（１）の外方伸縮状態において、上記スライドビームボックス（２）の頂弦部（２１）における内側面と上記内側スライドビーム（３）の頂弦部（３１）における外側面との間に挿入ブロック（６）が挿入される
ことを特徴とする装置。
【請求項１１】
請求項１〜１０のいずれか１項に係る伸縮式スライドビームを備えた作業機械、特に自走クレーンまたは掘削機。
【発明の詳細な説明】
【技術分野】
【０００１】
本発明は、自走クレーンや掘削機などにおいて使用される、作業機械を支持するための伸縮式スライドビームに関する。
【背景技術】
【０００２】
複数の作業機械が、当該作業機械の支持容量および安定性を向上させるために油圧式支持可能性を必要とする。この目的のために、作業機械に接続された伸縮式スライドビームが一般に用いられる。
【０００３】
車台から側方に突出するスライドビームの様々な拡張状態が、その場の環境や必要な支持力に応じた安全な作業操作のために必要とされる。スライドビームを最大限に伸ばした位置では、スライドビームボックスとこの内部に支持された内側スライドビームとの一定のオーバーラップが、生じる力を解放できるようになお必要とされる。地面との直接的な接続状態にされ得る実質的に鉛直向きの要素は、典型的に作業機械から離れた伸縮端部に配置される。地面への力の案内はこの支持脚部を介してなされる（＝鉛直要素）。しかしながら、この点において、スライドビームボックスと内側スライドビームとのオーバーラップ領域において曲げモーメントを生じさせる鉛直負荷が同時に発生する。このため、スライドビームボックスと内側スライドビームとの十分に大きなオーバーラップが曲げモーメントを解放するために存在することが確保されなければならない。これらの考慮事項のため、内側スライドビームのうち一定の部分は、内側スライドビームを囲むスライドビームボックス内に常に存在する。
【発明の概要】
【発明が解決しようとする課題】
【０００４】
本発明の目的は、当該カテゴリーの伸縮式スライドビームを、伸縮式スライドビームのより大きな拡張長さを実現するため、および／またはスライドビームの重量を低減するために、内側スライドビームとスライドビームボックスとのオーバーラップ領域が低減され得るように改良することである。
【課題を解決するための手段】
【０００５】
この目的は、請求項１に係る特徴を有する伸縮式スライドビームによって達成される。したがって、作業機械を支持するための本発明に係る伸縮式スライドビームは、スライドビームボックスと、このスライドビームボックス内に伸縮可能に支持された内側スライドビームとを備えている。本発明に係るスライドビームは、さらに、スライドビームボックスおよび内側スライドビームの各々が周縁領域に開口を有し、当該開口が伸縮式スライドビームの外方伸縮状態において互いにオーバーラップし、互いにオーバーラップした開口に導入され得るボルトを備えている。スライドビームボックスは、さらに、内側面に当接部を有し、内側スライドビームは外側面に当接部を有し、スライドビームボックスの当接部と内側スライドビームの当接部とは、外方伸縮状態において、スライドビームボックスから内側スライドビームがさらに引き出されるのを阻止するように互いに係合可能であり、好ましくは互いに接触する。
【０００６】
内側スライドビームは、さらに、内方および外方に押すことのできる態様でスライドビームボックス内に支持されている。この点において、スライドビームボックスと内側スライドビームとが似通った横断面形状、好ましくは矩形状または円形状を有する場合が有利である。スライドビームボックスおよび内側スライドビームの両方が周縁領域に開口を有しており、このことはスライドビームボックスおよび内側スライドビームの端面に開口があることは意味しない。したがって、各構成要素の長手方向に平行な表面領域のみが、周縁領域によって意味される。
【０００７】
外方伸縮状態では、この言葉は必ずしもスライドビームボックスから内側スライドビームを最大限に引き出した状態を表すものではないが、周辺領域の２つの開口が、スライドビームボックスの開口から内側スライドビームの開口を通って内側スライドビームの内側面までの接続が作り出されるようにオーバーラップする。それにより、例えば、スライドビームボックスの開口および内側スライドビームの開口を通して外側からボルトを導入することが可能となる。
【０００８】
スライドビームボックスは、さらに、内側面に当接部を有し、内側スライドビームは外側面に当接部を有する。内側スライドビームの当接部は、好ましくは内側スライドビームの長手方向と垂直に延びており、スライドビームボックスの当接部は、外方伸縮状態において２つの当接部が互いに接触するか互いに隣り合うように、対応する態様で延びている。この点において、内側スライドビームの当接部は、周縁方向の一部に沿って延びるフランジ状カラーであってもよい。スライドビームボックスの当接部は、同様に、スライドビームボックスの内側面から突出するフランジ状カラーであってもよい。よって、２つの当接部は、内側スライドビームの引き出し時においてそれらが内側スライドビームのさらなる引き出しを防止するように、互いに対して並んでもよい。
【０００９】
請求項１の特徴を有する伸縮式スライドビームを用いることで、スライドビームボックスと内側スライドビームとのオーバーラップ領域で生じる鉛直曲げモーメントを水平力の対によって除去することが可能となる。内側スライドビームの伸縮自在な端部に設けられる鉛直要素は支持工程において鉛直力作用を受け、当該鉛直力作用はオーバーラップ領域において対応する態様で反映される。スライドビームの外方伸縮状態では、スライドビームボックスと内側スライドビームとのオーバーラップ領域で生じる鉛直反力が、相互にオーバーラップする開口へのボルトの導入による水平力の対によって除去され得る。
【００１０】
開口は、スライドビームボックスおよび内側スライドビームの各々の当接部が互いに接触するか互いに隣り合うときに、互いにオーバーラップするのが好ましい。そして、オーバーラップ領域に作用する鉛直反力は、２つの開口へのボルトの導入による水平力の対によって除去され得る。より好ましくは、それぞれの開口は関連する当接部の反対側に配置されている。すなわち、開口と当接部とは、スライドビームボックスまたは内側スライドビームにおける対向する箇所に設けられている。
【００１１】
スライドビームボックス内における内側スライドビームのオーバーラップ長さは、本発明に係るスライドビームによって最小限まで低減され得る。内側スライドビームの達成可能なより長い拡張長さによって、軽量化が実現され得、または作業機械のサポート幅が増大され得る。
【００１２】
本発明において、オーバーラップ領域に存在するスライドビームボックスおよび内側スライドビームの開口が互いにオーバーラップすると同時に、スライドビームボックスの当接部と内側スライドビームの当接部とが互いに接触し、および／または互いに隣り合うことが有利である。それにより、オーバーラップ領域において作用する鉛直反力を、特に効率的に、周縁方向において設けられた開口の領域および係合した当接部の対の領域において生じる水平力の対に変換することが可能となる。
【００１３】
本発明の別の必須ではない特徴によると、スライドビームボックスの開口および内側スライドビームの開口は、対応する構成要素の頂弦部に設けられている。スライドビームボックスの当接部および内側スライドビームの当接部は、それぞれの底弦部に設けられているのが好ましい。この点において、その目的にしたがって位置合わせされた伸縮式スライドビームでは、頂弦部の語は地面から離れた側を述べるものであり、底弦部の語は実質的に水平に並べられたスライドビームボックスまたは内側スライドビームの地面に面する側を述べるものである。
【００１４】
本発明のさらに有利な改良によると、スライドビームボックスの当接部はスライドビームボックスに一体形成されており、および／または、内側スライドビームの当接部は内側スライドビームに一体形成されている。それにより、スライドビームボックスおよび内側スライドビームが、それぞれの当接部に作用する力を特に効率的に導き出し得るかおよび／または解放し得ることが確保される。
【００１５】
スライドビームボックスの開口と内側スライドビームの開口とは同一形状であるのが好ましい。この点において、開口の各々は円形状および／または矩形状を有してもよい。ボルトに対して作用し得る同様に延びる当接面が、２つの開口の同一形状のために、スライドビームボックスの開口および内側スライドビームの開口の両方へのボルトの導入において構成される。
【００１６】
スライドビームボックスの開口と内側スライドビームの開口とは、スライドビームの外方伸縮状態において、互いに直接的に重なって配置されるのが好ましい。この点において、２つの開口は、ボルトが導入されると、内側スライドビームに対するスライドビームボックスの移動がもはやどの方向にも不可能となるように、互いに面一に並んでもよい。
【００１７】
さらに、内側スライドビームおよびスライドビームボックスの材料厚みが、それらの各々の開口部分において、またはそれらの各々の開口の領域において、他の領域よりも分厚い場合が有利である。スライドビームボックスおよび／または内側スライドビームの開口の一方の縁領域を、同開口の他方の縁領域と異なる厚みに形成することがまた賢明である。解放されるべき力は、典型的には意図された使用において開口の限られた縁領域に、典型的にはより分厚い領域にかかる。作用力は、それにより、全体としてより大きな有効面にわたって分散され、摩耗によって生じる欠陥発生がより抑えられる。
【００１８】
本発明の別の必須ではない特徴は、スライドビームボックスが、スライドビームの伸縮方向に垂直であってスライドビームボックスの開口の縁領域において同開口と並ぶように構成された外側に突出する隆起部を有することである。垂直隆起部は、開口に導入され得るボルトの当接面の拡大部として機能する。この点において、垂直隆起部は開口と並んで延びている。これにより、開口に導入されるボルトの傾きが効果的に阻止され得る。その代わりに、垂直隆起部は、開口の縁領域において内側に突出していてもよい。この場合、ボルトは外側からは押さえられないが内側からは押さえられる。この実施形態の変形例はスペース的な理由に対する利点を有し得る。
【００１９】
垂直隆起部は、好ましくは、スライドビームボックスに一体形成されていて、また開口の縁領域の全体を囲んでいる。
【００２０】
また、内側スライドビームの外側面とスライドビームボックスの内側面との間にギャップが形成されていてもよい。スライドビームボックスおよび内側スライドビームの筒状の実施形態において、当該ギャップは内側スライドビームの外径とスライドビームボックスの内径との違いによって形成され得る。
【００２１】
ギャップは、内側スライドビームの外側面の当接部の高さ以上の大きさを有するのが好ましい。このことは、スライドビームボックスと内側スライドビームとの間のギャップが、伸縮方向に対して垂直に突出する内側スライドビームの当接部以上の大きさを有することを意味する。スライドビームボックスからの内側スライドビームの取り出しが、このギャップの形成によって容易に実行され得る。この点において、内側スライドビームのスライドビームボックスからの完全な引き出しが実行され得るために、内側スライドビームの持ち上げまたは長手方向回りの回転によって２つの相互に接触する当接部の係合を解除するだけで足りる。組立てまたは分解が、よって、特に迅速であって特に複雑でない態様で実行され得る。スライドビームボックスおよび／または内側スライドビームの内側面へのアクセスが、また必要な交換またはサービスにおいて特にシンプルとなる。加えて、伸縮式スライドビーム内への部分の導入が多くの努力なくして可能である。
【００２２】
本発明の別の有利な変形例によると、スライドビームの外方伸縮状態において、スライドビームボックスの内側面と内側スライドビームの外側面との間のギャップに挿入ブロックが押し込まれている。ギャップは、スライドビームボックスおよび内側スライドビームの２つの頂弦部の間に位置しているのが好ましい。ギャップが存在する場合、オーバーラップ領域に垂直に作用する力は、伸縮式スライドビームの捻れが生じることなく挿入ブロックによって除去される。
【００２３】
スライドビームボックスと呼んでいる物が伸縮構成の別のビーム要素であるかどうか、すなわち同様にあるスライドビームボックスに収容可能に設けられているかどうかは、本発明の基本的アイデアに関係しない。本発明は、２つの部分（＝ビーム要素）のみを有するスライドビームに限定されない。本発明は、２つよりも多くの部分を有するスライドビームにも適用され得る。あるビーム要素は、したがって、さらなるビーム要素が内側スライドビームに収容され得るかどうか、あるいはスライドビームボックス自体がさらなるビーム要素に収容され得るかどうかに関わらず、内側スライドビームを収容し得るスライドビームボックスと呼ばれる。
【００２４】
本発明は、さらに、上で挙げた特徴の組み合わせの一つを有する伸縮式スライドビームを備えた作業機械、特に自走クレーンまたは掘削機に関する。
【００２５】
本発明の別の特徴、詳細および利点は図面に示す実施形態から明らかになる。
【図面の簡単な説明】
【００２６】
【図１】図１は、伸縮式スライドビームの概略図である。
【図２】図２は、本発明に係る伸縮式スライドビームの部分図である。
【図３】図３は、本発明に係る伸縮式スライドビームの細部図であって、生じる力を表示してある。
【発明を実施するための形態】
【００２７】
図１は、スライドビーム２と、これから一部が引き出された内側スライドビーム３とを備えた伸縮式スライドビーム１を示している。床面と接触するように構成された鉛直要素７（＝支持脚部）は、スライドビームボックス２から離れた内側スライドビーム３の先端部に設けられている。スライドビームボックスは、典型的には作業機械に接続されている。
【００２８】
スライドビームボックス２は、頂弦部２１および底弦部２２を有する。内側スライドビーム３も、頂弦部３１および底弦部３２を有する。この点において、頂弦部および底弦部の規定は、伸縮式スライドビーム１の位置合わせを用いてなされる。この点において、床に面する側が底弦部と呼ばれ、床から離れた側が頂弦部と呼ばれる。
【００２９】
スライドビームの支持工程では、力Ｖが、鉛直伸長要素７（支持脚部）に作用しかつ床から鉛直伸長要素７に向けられる。この力は、スライドビームボックス２および内側スライドビーム３の２つの頂弦部２１，３１のオーバーラップ領域に作用する鉛直向きの反力を生じさせる。この力が大きくなりすぎると、スライドビーム１はオーバーラップ領域で捻れる。オーバーラップ領域は、このため十分に安定していなければならない。従来技術では、このことは十分に大きなオーバーラップによって、すなわちスライドビームボックス２から内側スライドビーム３を完全には引き出さないことによって実現されていた。
【００３０】
図２は、本発明の実施形態に係るスライドビームボックス２および内側スライドビーム３のオーバーラップ領域の細部図を示している。この点において、２つの底弦部２２，３２の領域に、内側スライドビーム３がその外側に向かって伸縮方向に垂直に延びる当接部３４としてのカラーを有することを確認できる。スライドビームボックスは、内側に突出する当接部２４としてのカラーを有する。また、スライドビームボックス２の材料厚みが作業機械から離れた端部において増大していることを確認できる。同様のことが、スライドビーム３の作業機械側の端部についても言える。さらに、ボルト４が、スライドビームボックス２および内側スライドビーム３の互いに面一に並んだ２つの開口２３，３３に設けられていることを確認できる。また、スライドビームボックス２の周縁領域において開口２３と並んだ態様でスライドビームボックス２から伸縮方向と垂直に延びる隆起部５が見られる。この隆起部５は、ボルト４のためのさらなる当接面として機能し、大きな力の作用によってボルト４が傾くのを防止する。
【００３１】
参照符号６は、スライドビームボックス２の頂弦部２１の内側面と、内側スライドビーム３の頂弦部３１の外側面との間のギャップを満たす挿入ブロックを示す。スライドビームボックス２と内側スライドビーム３とのオーバーラップ領域Ｌが同様に示されている。
【００３２】
挿入ブロックは上記ギャップに着脱可能に取り付けられている。このことは、挿入および抜出し工程において、および伸縮式スライドビーム１の組立てまたは分解において、挿入ブロック６がギャップから取り出されることを意味する。
【００３３】
伸縮方向に垂直なギャップの長さは伸縮方向に垂直な内側スライドビーム３の当接部３４の長さよりも長いため、内側スライドビーム３は、機械的係合部２４，３４の係合を解除するような内側スライドビーム２の持ち上げまたはその他の工程によって、スライドビームボックス２から完全に引き出され得る。スライドビームボックス２内への導入がしたがって当然にまた類似の態様で可能である。それにより、本発明に係る伸縮式スライドビーム１の組立てまたは分解が、特に容易かつ迅速に実行され得る。この点において、挿入ブロック６が力伝達を提供するため、作業操作における安定性の低下は全く認められない。スライドビームボックス２および内側スライドビーム３の特に小さなオーバーラップ領域Ｌが本発明の実施形態によって実現可能であり、そのためスライドビーム１の大きな拡張長さが得られる。
【００３４】
図２の詳細図が、支持工程において作用する力によって図３において補足されている。上述したように、上向きの鉛直力＋Ｖが、支持脚部に作用して、曲げモーメントおよび挿入ブロック６によって除去されるオーバーラップ領域における反力−Ｖ（すなわち、下向きの力）を生じさせる。曲げモーメントは、水平力の対＋Ｈおよび−Ｈによって除去される。力＋Ｈはボルト４によって除去される。力−Ｈは当接部２４，３４によって除去される。
【００３５】
頂弦部におけるボルトの導入は、油圧力または機械的力によって実行されてもよい。
【図１】
0006695894.tif 000002
【図２】
0006695894.tif 000003
【図３】
0006695894.tif 000004